【事件の表示】
　特願２００７−５４９５９０「キラル縮合［１，２］イミダゾ［４，５−ｃ］環状化合物」拒絶査定不服審判事件〔平成１８年７月１３日国際公開、ＷＯ２００６／０７４００３、平成２０年７月２４日国内公表、特表２００８−５２６７５４、請求項の数（１０）〕について、次のとおり審決する。
【結　論】
　原査定を取り消す。
　本願の発明は、特許すべきものとする。
【理　由】
第１　手続の経緯
　この出願は、２００５年１２月２９日（パリ条約による優先権主張外国庁受理２００４年１２月３０日（ＵＳ）米国及び２００５年７月７日（ＵＳ）米国）を国際出願日とする出願であって、平成２０年１２月２４日に手続補正書が提出され、平成２３年９月１日付けで拒絶理由が通知され、同年３月１３日に意見書及び手続補正書が提出され、同年５月１５日付けで拒絶理由が通知され、同年９月３日に意見書及び手続補正書が提出され、同年１２月７日付けで拒絶査定がされ、平成２５年４月１１日に拒絶査定不服審判が請求されたものである。
　
第２　本願発明
　この出願の請求項１〜１０に係る発明は、平成２４年９月３日付けの手続補正により補正された特許請求の範囲の請求項１〜１０に記載された事項により特定される以下のとおりのものである。
　「【請求項１】式ＩＩａ：
　
（式中、
　Ｘは、結合または直鎖もしくは分岐鎖Ｃ1-8アルキレンであり、任意にヘテロ原子に隣接する炭素原子以外の炭素原子に置換基を有し、ここで、置換基が、ヒドロキシ、アルコキシ、または１つ以上のハロゲン原子であり；
　Ｘ’は、直鎖または分岐鎖Ｃ1-8アルキレンであり、任意にヘテロ原子に隣接する炭素原子以外の炭素原子に置換基を有し、ここで、置換基がヒドロキシ、アルコキシ、または１つ以上のハロゲン原子であり；
　ＸおよびＸ’は、ＸおよびＸ’によって寄与される環状炭素原子の和が１、２、または３であることをさらに特徴とし；
　Ｚは、−Ｏ−および−Ｎ（−Ｙ−Ｒ2）−からなる群から選択され；
　Ｘ1は、結合、アルキレン、アルケニレン、およびアルキニレンからなる群から選択され、ここで、アルキレンおよびアルケニレンは、任意に１つ以上の−Ｏ−基によって分断化され、および任意にヒドロキシまたはメトキシ基によって置換されており；
　Ｒ1は、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリルからなる群から選択され、ここで、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリル基は、非置換であってもまたは、アルキル；アルコキシ；ヒドロキシアルキル；ハロアルキル；ハロアルコキシ；ハロゲン；ニトロ；ヒドロキシ；シアノ；アリール；アリールオキシ；アリールアルキレンオキシ；ヘテロアリール；ヘテロアリールオキシ；ヘテロアリールアルキレンオキシ；ヘテロシクリル；およびヘテロシクリルの場合にはオキソ；からなる群から独立して選択される１つ以上の置換基によって置換されてもよく、ただし、Ｒ1がアリール、アリールアルキレニル、ヘテロアリール、またはヘテロアリールアルキレニルであるとき、１つ以上の置換基はまた、アリールアルキレニル、アルキルアリールエニル、アルコキシアリールエニル、ハロアリールエニル、アルキルスルホニルアミノ、アリールスルホニルアミノ、アルキルカルボニルアミノ、アリールカルボニルアミノ、アルキルアミノカルボニルアミノ、アリールアミノカルボニルアミノ、ヘテロアリールスルホニルアミノ、ヘテロアリールカルボニルアミノ、ヘテロアリールアミノカルボニルアミノ、アルコキシカルボニルアミノ、およびアリールオキシカルボニルアミノからなる群から独立して選択されてもよく；およびさらに、ただし、Ｒ1がヘテロシクリルであるとき、１つ以上の置換基はまた、アリールアルキレニル、およびアミノカルボニルからなる群から独立して選択されてもよく；
　ＲA1およびＲB1は、各々、アルキルであり、
　または、合一したとき、ＲA1およびＲB1は、１つのＮ原子を含有する縮合６員ヘテロアリール環または縮合６員アリール環を形成し、ここで、アリールまたはヘテロアリール環は、非置換であるか、または１つ以上のＲ基で、１つのＲ3基で、あるいは１つのＲ3基および１つのＲ基によって置換されており、
　または、合一したとき、ＲA1およびＲB1は、任意に１つのＮ原子を含有すると共に、非置換であるか、または１つ以上のＲ基によって置換されている縮合６員飽和環を形成し；
　Ｒは、
　　ハロゲン、
　　ヒドロキシ、
　　アルキル、
　　アルケニル、
　　ハロアルキル、
　　アルコキシ、
　　アルキルチオ、および
　　−Ｎ（Ｒ9）2　
からなる群から選択され；
　Ｒ2は、水素、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリルからなる群から選択され、ここで、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリル基は、非置換であっても、またはアルキル；アルコキシ；アルキルチオ；アルカノイル；アルカノイルオキシ；アルコキシカルボニル；ヒドロキシアルキル；ハロアルキル；ハロアルコキシ；ハロゲン；ニトロ；ヒドロキシ；メルカプト；シアノ；アリール；アリールオキシ；アリールチオ；アリールアルキレンオキシ；ヘテロアリール；ヘテロアリールオキシ；ヘテロアリールアルキレンオキシ；ヘテロシクリル；アミノ；アルキルアミノ；ジアルキルアミノ；（ジアルキルアミノ）アルキレンオキシ；アルキルの場合には、アルケニル、アルキニル、およびヘテロシクリル、オキソ；およびアリールの場合には、メチレンジオキシからなる群から独立して選択される１つ以上の置換基によって置換されてもよく；
　Ｙは、
　　結合、
　　−Ｓ（Ｏ）2−、
　　−Ｓ（Ｏ）2−Ｎ（Ｒ8）−、
　　−Ｃ（Ｒ6）−、
　　−Ｃ（Ｒ6）−Ｎ（Ｒ8）−、
　　−Ｃ（Ｒ6）−Ｎ（Ｒ8）−Ｃ（Ｒ6）−、
　　−Ｃ（Ｒ6）−Ｎ（Ｒ8）−Ｓ（Ｏ）2−、および
　　−Ｃ（Ｒ6）−Ｏ−
からなる群から選択され；
　Ｒ3は、
　　−Ｙ’’−Ｒ4、
　　−Ｚ’−Ｒ4、
　　−Ｚ’−Ｘ’’−Ｒ4、
　　−Ｚ’−Ｘ’’−Ｙ’−Ｒ4、
　　−Ｚ’−Ｘ’’−Ｙ’−Ｘ’’−Ｙ’−Ｒ4、および
　　−Ｚ’−Ｘ’’−Ｒ5　
からなる群から選択され；
　Ｘ’’は、アルキレン、アルケニレン、アルキニレン、アリーレン、ヘテロアリーレン、およびヘテロシクリレンからなる群から選択され、ここで、アルキレン、アルケニレン、およびアルキニレン基は、任意にアリーレン、ヘテロアリーレンまたはヘテロシクリレンによって分断化または末端封止されてもよく、および任意に１つ以上の−Ｏ−基によって分断化されてもよく；
　Ｙ’は、
　　−Ｓ（Ｏ）0-2−、
　　−Ｓ（Ｏ）2−Ｎ（Ｒ8）−、
　　−Ｃ（Ｒ6）−、
　　−Ｃ（Ｒ6）−Ｏ−、
　　−Ｏ−Ｃ（Ｒ6）−、
　　−Ｏ−Ｃ（Ｏ）−Ｏ−、
　　−Ｎ（Ｒ8）−Ｑ−、
　　−Ｃ（Ｒ6）−Ｎ（Ｒ8）−、
　　−Ｏ−Ｃ（Ｒ6）−Ｎ（Ｒ8）−、
　　−Ｃ（Ｒ6）−Ｎ（ＯＲ9）−、
　
からなる群から選択され；
　Ｙ’’は−Ｏ−Ｃ（Ｒ6）−であり；
　Ｚ’は結合または−Ｏ−であり；
　Ｒ4は、水素、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリルからなる群から選択され、ここで、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリル基は、非置換であっても、またはアルキル；アルコキシ；ヒドロキシアルキル；ハロアルキル；ハロアルコキシ；ハロゲン；ニトロ；ヒドロキシ；メルカプト；シアノ；アリール；アリールオキシ；アリールアルキレンオキシ；ヘテロアリール；ヘテロアリールオキシ；ヘテロアリールアルキレンオキシ；ヘテロシクリル；アミノ；アルキルアミノ；ジアルキルアミノ；（ジアルキルアミノ）アルキレンオキシ；およびアルキルの場合には、アルケニル、アルキニル、およびヘテロシクリル、オキソからなる群から独立して選択される１つ以上の置換基によって置換されてもよく；
　Ｒ5は、
からなる群から選択され；
　Ｒ6は、＝Ｏおよび＝Ｓからなる群から選択され；
　Ｒ7はＣ2-7アルキレンであり；
　Ｒ8は、水素、Ｃ1-10アルキル、Ｃ2-10アルケニル、Ｃ1-10アルコキシ−Ｃ1-10アルキレニル、およびアリール−Ｃ1-10アルキレニルからなる群から選択され；
　Ｒ9は、水素およびアルキルからなる群から選択され；
　Ｒ10はＣ3-8アルキレンであり；
　Ａは、−ＣＨ2−、−Ｏ−、−Ｃ（Ｏ）−、−Ｓ（Ｏ）0-2−、および−Ｎ（Ｒ4）−からなる群から選択され；
　Ｑは、結合、−Ｃ（Ｒ6）−、−Ｃ（Ｒ6）−Ｃ（Ｒ6）−、−Ｓ（Ｏ）2−、−Ｃ（Ｒ6）−Ｎ（Ｒ8）−Ｗ−、−Ｓ（Ｏ）2−Ｎ（Ｒ8）−、−Ｃ（Ｒ6）−Ｏ−、および−Ｃ（Ｒ6）−Ｎ（ＯＲ9）からなる群から選択され；
　Ｖは、−Ｃ（Ｒ6）−、−Ｏ−Ｃ（Ｒ6）−、−Ｎ（Ｒ8）−Ｃ（Ｒ6）−、および−Ｓ（Ｏ）2−からなる群から選択され；
　Ｗは、結合、−Ｃ（Ｏ）−、および−Ｓ（Ｏ）2−からなる群から選択され；および
　ａおよびｂは独立して１〜６の整数であり、ただしａ＋ｂは≦７である）
で表わされる化合物または医薬として許容されるその塩。
　【請求項２】式ＩＩＩ：
　
（式中、
　Ｘは、結合または直鎖もしくは分岐鎖Ｃ1-8アルキレンであり、任意にヘテロ原子に隣接する炭素原子以外の炭素原子に置換基を有し、ここで、置換基が、ヒドロキシ、アルコキシ、または１つ以上のハロゲン原子であり；
　Ｘ’は、直鎖または分岐鎖Ｃ1-8アルキレンであり、任意にヘテロ原子に隣接する炭素原子以外の炭素原子に置換基を有し、ここで、置換基がヒドロキシ、アルコキシ、または１つ以上のハロゲン原子であり；
　ＸおよびＸ’は、ＸおよびＸ’によって寄与される環状炭素原子の和が１、２、または３であることをさらに特徴とし；
　Ｚは、−Ｏ−および−Ｎ（−Ｙ−Ｒ2）−からなる群から選択され；
　Ｘ1は、結合、アルキレン、アルケニレン、およびアルキニレンからなる群から選択され、ここで、アルキレンおよびアルケニレンは、任意に１つ以上の−Ｏ−基によって分断化され、および任意にヒドロキシまたはメトキシ基によって置換されており；
　Ｒ1は、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリルからなる群から選択され、ここで、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリル基は、非置換であってもまたは、アルキル；アルコキシ；ヒドロキシアルキル；ハロアルキル；ハロアルコキシ；ハロゲン；ニトロ；ヒドロキシ；シアノ；アリール；アリールオキシ；アリールアルキレンオキシ；ヘテロアリール；ヘテロアリールオキシ；ヘテロアリールアルキレンオキシ；ヘテロシクリル；およびヘテロシクリルの場合にはオキソ；からなる群から独立して選択される１つ以上の置換基によって置換されてもよく、ただし、Ｒ1がアリール、アリールアルキレニル、ヘテロアリール、またはヘテロアリールアルキレニルであるとき、１つ以上のニル、ハロアリールエニル、アルキルスルホニルアミノ、アリールスルホニルアミノ、アルキルカルボニルアミノ、アリールカルボニルアミノ、アルキルアミノカルボニルアミノ、アリールアミノカルボニルアミノ、ヘテロアリールスルホニルアミノ、ヘテロアリールカルボニルアミノ、ヘテロアリールアミノカルボニルアミノ、アルコキシカルボニルアミノ、およびアリールオキシカルボニルアミノからなる群から独立して選択されてもよく；およびさらに、ただし、Ｒ1がヘテロシクリルであるとき、１つ以上の置換基はまた、アリールアルキレニル、およびアミノカルボニルからなる群から独立して選択されてもよく；
　Ｒは、
　　ハロゲン、
　　ヒドロキシ、
　　アルキル、
　　アルケニル、
　　ハロアルキル、
　　アルコキシ、
　　アルキルチオ、および
　　−Ｎ（Ｒ9）2　
からなる群から選択され；
　ｎは０〜４の整数であり；
　Ｒ2は、水素、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリルからなる群から選択され、ここで、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリル基は、非置換であっても、またはアルキル；アルコキシ；アルキルチオ；アルカノイル；アルカノイルオキシ；アルコキシカルボニル；ヒドロキシアルキル；ハロアルキル；ハロアルコキシ；ハロゲン；ニトロ；ヒドロキシ；メルカプト；シアノ；アリール；アリールオキシ；アリールチオ；アリールアルキレンオキシ；ヘテロアリール；ヘテロアリールオキシ；ヘテロアリールアルキレンオキシ；ヘテロシクリル；アミノ；アルキルアミノ；ジアルキルアミノ；（ジアルキルアミノ）アルキレンオキシ；アルキルの場合には、アルケニル、アルキニル、およびヘテロシクリル、オキソ；およびアリールの場合には、メチレンジオキシからなる群から独立して選択される１つ以上の置換基によって置換されてもよく；
　Ｙは、
　　結合、
　　−Ｓ（Ｏ）2−、
　　−Ｓ（Ｏ）2−Ｎ（Ｒ8）−、
　　−Ｃ（Ｒ6）−、
　　−Ｃ（Ｒ6）−Ｎ（Ｒ8）−、
　　−Ｃ（Ｒ6）−Ｎ（Ｒ8）−Ｃ（Ｒ6）−、
　　−Ｃ（Ｒ6）−Ｎ（Ｒ8）−Ｓ（Ｏ）2−、および
　　−Ｃ（Ｒ6）−Ｏ−
からなる群から選択され；
　Ｒ3は、
　　−Ｙ’’−Ｒ4、
　　−Ｚ’−Ｒ4、
　　−Ｚ’−Ｘ’’−Ｒ4、
　　−Ｚ’−Ｘ’’−Ｙ’−Ｒ4、
　　−Ｚ’−Ｘ’’−Ｙ’−Ｘ’’−Ｙ’−Ｒ4、および
　　−Ｚ’−Ｘ’’−Ｒ5　
からなる群から選択され；
　ｍは０または１であり、ただしｍが１であるとき、ｎは０または１であり；
　Ｘ’’は、アルキレン、アルケニレン、アルキニレン、アリーレン、ヘテロアリーレン、およびヘテロシクリレンからなる群から選択され、ここで、アルキレン、アルケニレン、およびアルキニレン基は、任意にアリーレン、ヘテロアリーレンまたはヘテロシクリレンによって分断化または末端封止されてもよく、および任意に１つ以上の−Ｏ−基によって分断化されてもよく；
　Ｙ’は、
　　−Ｓ（Ｏ）0-2−、
　　−Ｓ（Ｏ）2−Ｎ（Ｒ8）−、
　　−Ｃ（Ｒ6）−、
　　−Ｃ（Ｒ6）−Ｏ−、
　　−Ｏ−Ｃ（Ｒ6）−、
　　−Ｏ−Ｃ（Ｏ）−Ｏ−、
　　−Ｎ（Ｒ8）−Ｑ−、
　　−Ｃ（Ｒ6）−Ｎ（Ｒ8）−、
　　−Ｏ−Ｃ（Ｒ6）−Ｎ（Ｒ8）−、
　　−Ｃ（Ｒ6）−Ｎ（ＯＲ9）−、
　
からなる群から選択され；
　Ｙ’’は−Ｏ−Ｃ（Ｒ6）−であり；
　Ｚ’は結合または−Ｏ−であり；
　Ｒ4は、水素、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリルからなる群から選択され、ここで、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリル基は、非置換であっても、またはアルキル；アルコキシ；ヒドロキシアルキル；ハロアルキル；ハロアルコキシ；ハロゲン；ニトロ；ヒドロキシ；メルカプト；シアノ；アリール；アリールオキシ；アリールアルキレンオキシ；ヘテロアリール；ヘテロアリールオキシ；ヘテロアリールアルキレンオキシ；ヘテロシクリル；アミノ；アルキルアミノ；ジアルキルアミノ；（ジアルキルアミノ）アルキレンオキシ；およびアルキルの場合には、アルケニル、アルキニル、およびヘテロシクリル、オキソからなる群から独立して選択される１つ以上の置換基によって置換されてもよく；
　Ｒ5は、
からなる群から選択され；
　Ｒ6は、＝Ｏおよび＝Ｓからなる群から選択され；
　Ｒ7はＣ2-7アルキレンであり；
　Ｒ8は、水素、Ｃ1-10アルキル、Ｃ2-10アルケニル、Ｃ1-10アルコキシ−Ｃ1-10アルキレニル、およびアリール−Ｃ1-10アルキレニルからなる群から選択され；
　Ｒ9は、水素およびアルキルからなる群から選択され；
　Ｒ10はＣ3-8アルキレンであり；
　Ａは、−ＣＨ2−、−Ｏ−、−Ｃ（Ｏ）−、−Ｓ（Ｏ）0-2−、および−Ｎ（Ｒ4）−からなる群から選択され；
　Ｑは、結合、−Ｃ（Ｒ6）−、−Ｃ（Ｒ6）−Ｃ（Ｒ6）−、−Ｓ（Ｏ）2−、−Ｃ（Ｒ6）−Ｎ（Ｒ8）−Ｗ−、−Ｓ（Ｏ）2−Ｎ（Ｒ8）−、−Ｃ（Ｒ6）−Ｏ−、および−Ｃ（Ｒ6）−Ｎ（ＯＲ9）からなる群から選択され；
　Ｖは、−Ｃ（Ｒ6）−、−Ｏ−Ｃ（Ｒ6）−、−Ｎ（Ｒ8）−Ｃ（Ｒ6）−、および−Ｓ（Ｏ）2−からなる群から選択され；
　Ｗは、結合、−Ｃ（Ｏ）−、および−Ｓ（Ｏ）2−からなる群から選択され；および
　ａおよびｂは独立して１〜６の整数であり、ただしａ＋ｂは≦７である）
で表わされる化合物または医薬として許容されるその塩。
　【請求項３】Ｘ1は、結合、アルキレン、およびアルケニレンからなる群から選択され、ここで、アルキレンおよびアルケニレンは、任意に１つ以上の−Ｏ−基によって分断化され；
　Ｒ1は、アルキル、アルケニル、アルキニル、アリール、アリールアルキレニル、アルキルアリールエニル、ヘテロアリール、ヘテロアリールアルキレニル、アルキルへテロアリールエニル、およびヘテロシクリルからなる群から選択され、ここで、アルキル、アルケニル、アルキニル、アリール、アリールアルキレニル、アルキルアリールエニル、ヘテロアリール、ヘテロアリールアルキレニル、アルキルへテロアリールエニル、およびヘテロシクリル基は、非置換であってもまたは、アルキル；アルコキシ；ヒドロキシアルキル；ハロアルキル；ハロアルコキシ；ハロゲン；ニトロ；ヒドロキシ；シアノ；アリール；アリールオキシ；アリールアルキレンオキシ；ヘテロアリール；ヘテロアリールアルキレンオキシ；ヘテロシクリル；およびヘテロシクリルの場合にはオキソ；からなる群から独立して選択される１つ以上の置換基によって置換されてもよく、ただし、Ｒ1がアリール、アリールアルキレニル、ヘテロアリール、またはヘテロアリールアルキレニルであるとき、１つ以上の置換基はまた、アルキルスルホニルアミノ、アリールスルホニルアミノ、アルキルカルボニルアミノ、アリールカルボニルアミノ、アルキルアミノカルボニルアミノ、アリールアミノカルボニルアミノ、ヘテロアリールスルホニルアミノ、ヘテロアリールカルボニルアミノ、ヘテロアリールアミノカルボニルアミノ、アルコキシカルボニルアミノ、およびアリールオキシカルボニルアミノからなる群から独立して選択されてもよく；および
　Ｒ3は、
　　−Ｚ’−Ｒ4、
　　−Ｚ’−Ｘ’’−Ｒ4、
　　−Ｚ’−Ｘ’’−Ｙ’−Ｒ4、
　　−Ｚ’−Ｘ’’−Ｙ’−Ｘ’’−Ｙ’−Ｒ4、および
　　−Ｚ’−Ｘ’’−Ｒ5　
からなる群から選択される、請求項１または２に記載の化合物または塩。
　【請求項４】ｎが０であるか、またはｎおよびｍが０である、請求項２に記載の化合物または塩。
　【請求項５】Ｒはハロゲンまたはヒドロキシである、請求項１〜３のいずれか一項に記載の化合物または塩。
　【請求項６】Ｒ3はベンジルオキシ；−Ｚ’−Ｘ’’−Ｒ4（式中、Ｘ’’は、Ｃ1-3アルキレンまたはＣ1-3アルケニレン、およびＲ4ヘテロシクリルまたはヘテロアリールであり、ここで、ヘテロシクリルは、非置換であるか、またはアルキルおよびオキソから独立して選択される１つ以上の置換基によって置換されており、ならびに、ここで、ヘテロアリールは、非置換であるか、またアルキル、アルコキシ、ハロゲン、シアノ、およびジアルキルアミノからなる群から独立して選択される１つ以上の置換基によって置換されている）；あるいは−Ｚ’−Ｘ’’−Ｙ’−Ｒ4（式中、Ｘ’’は、Ｃ1-3アルキレン、Ｃ1-3アルケニレン、ピペリジン−１，４−ジイル、およびフェニレンからなる群から選択され、Ｙ’は、−Ｃ（Ｒ6）−、−Ｃ（Ｒ6）−Ｏ−、−Ｃ（Ｒ6）−Ｎ（Ｒ8）−、−Ｎ（Ｒ8）−Ｑ−、および−Ｓ（Ｏ）2−からなる群から選択され、ここで、Ｑは、結合、−Ｃ（Ｏ）−、−Ｓ（Ｏ）2−、および−Ｃ（Ｒ6）−Ｎ（Ｒ8）−からなる群から選択され、Ｒ6は、＝Ｏおよび＝Ｓからなる群から選択され、およびＲ8は、水素、Ｃ1-4アルキル、およびＣ1-4アルコキシＣ1-4アルキレニルからなる群から選択され；そして、Ｒ4は、水素、アルキル、アリール、ヘテロアリール、およびヘテロシクリルからなる群から選択され；ここで、アルキルは、非置換であるか、またはヒドロキシ、アルコキシ、およびアリールからなる群から独立して選択される１つ以上の置換基によって置換され；ここで、アリールは、非置換であるか、またはアルキル、ハロゲン、シアノ、ジアルキルアミノ、およびアルコキシからなる群から独立して選択される１つ以上の置換基によって置換され；ならびに、ここで、ヘテロシクリルは、非置換であるか、またはアルキルおよびオキソからなる群から独立して選択される１つ以上の置換基によって置換されている）である、請求項１〜３のいずれか一項に記載の化合物または塩。
　【請求項７】Ｚは−Ｏ−である、請求項１〜６のいずれか一項に記載の化合物または塩。
　【請求項８】Ｒ1は、任意にヒドロキシまたは１つ以上のフッ素原子により置換されるＣ1-3アルキルである、請求項１〜７のいずれか一項に記載の化合物または塩。
　【請求項９】Ｒ1は、その各々が非置換であるか、またはアルキル、アルコキシ、ヒドロキシアルキル、ハロアルキル、ハロゲン、ヒドロキシ、アリール、ヘテロアリール、およびヘテロシクリルからなる群から独立して選択される１つ以上の置換基によって置換されている、アルキル、アルケニル、アルキニル、アリール、ヘテロアリール、およびヘテロシクリルからなる群から選択され；および、ここで、Ｒ1がヘテロアリールであるとき、１つ以上の置換基はまた、ハロアリールエニル、アルコキシアリールエニル、アルキルアリールエニル、およびアリールアルキレニルからなる群から独立して選択されてもよく；および、ここで、Ｒ1がヘテロシクリルであるとき、１つ以上の置換基はまた、アリールアルキレニルおよびアミノカルボニルからなる群から独立して選択されてもよい、請求項１〜７のいずれか一項に記載の化合物または塩。
　【請求項１０】Ｘ1は結合またはアルキレンであり、Ｘは結合であり、および、Ｘ’はＣ1-2アルキレンである、請求項１〜９のいずれか一項に記載の化合物または塩。」
（以下、請求項１〜１０に係る発明をそれぞれ「本願発明１」〜「本願発明１０」という。）
　
第３　原査定の理由の概要
　この出願の請求項１〜１０に係る発明は、同一出願人が同日出願した下記の出願に係る発明と同一と認められるから、この通知書と同日に発送した特許庁長官名による指令書に記載した届出がないときは、特許法第３９条第２項の規定により特許を受けることができない。
　
　　　　　　　　　　　　　　　　　記
　
　同日出願：特願２００７−５４９５９７号（特表２００８−５２９９７４号）
　
第４　当審の判断
　
１　同日出願に係る発明
　同日出願の請求項１〜９に係る発明は、平成２５年４月１１日付けの手続補正により補正された特許請求の範囲の請求項１〜９に記載された事項により特定される以下のとおりのものである。
　「【請求項１】式ＩＩａ：
　
（式中、
　Ｘは、結合であり；
　Ｘ’は、メチレンであり；
　Ｚは、−Ｏ−および−Ｎ（−Ｙ−Ｒ2）−からなる群から選択され；
　Ｒ1は、
　　−Ｘ1−Ｙ’−Ｒ4、
　　−Ｘ1−Ｙ’−Ｘ’’−Ｙ’−Ｒ4、および
　　−Ｘ1−Ｒ5　
からなる群から選択され；
　ＲA1およびＲB1は、一緒になって、縮合アリール環を形成し、ここで、アリール環は、非置換であるか、または１つ以上のＲ基で、１つのＲ3基で、あるいは１つのＲ3基および１つのＲ基によって置換されており、
　または、ＲA1およびＲB1は、一緒になって、非置換であるか、または１つ以上のＲ基によって置換されている縮合６員飽和環を形成し；
　Ｒは、
　　ハロゲン、
　　ヒドロキシ、
　　アルキル、
　　アルケニル、
　　ハロアルキル、
　　アルコキシ、
　　アルキルチオ、および
　　−Ｎ（Ｒ9）2　
からなる群から選択され；
　Ｒ3は、
　　−Ｚ’−Ｒ4、
　　−Ｚ’−Ｘ’’−Ｒ4、　　−Ｚ’−Ｘ’’−Ｙ’−Ｒ4、
　　−Ｚ’−Ｘ’’−Ｙ’−Ｘ’’−Ｙ’−Ｒ4、および
　　−Ｚ’−Ｘ’’−Ｒ5　
からなる群から選択され；
　Ｘ1は、アルキレンおよびアルケニレンからなる群から選択され、ここで、アルキレンおよびアルケニレンは、任意に１つ以上の−Ｏ−基によって分断化されると共に、任意にヒドロキシまたはメトキシ基によって置換されており；
　Ｘ’’は、アルキレン、アルケニレン、アルキニレン、アリーレン、ヘテロアリーレン、およびヘテロシクリレンからなる群から選択され、ここで、アルキレン、アルケニレン、およびアルキニレン基は、任意にアリーレン、ヘテロアリーレンまたはヘテロシクリレンによって分断化または末端封止されてもよく、および任意に１つ以上の−Ｏ−基によって分断化されてもよく；
　Ｙは、
　　結合、
　　−Ｓ（Ｏ）2−、
　　−Ｓ（Ｏ）2−Ｎ（Ｒ8）−、
　　−Ｃ（Ｒ6）−、
　　−Ｃ（Ｒ6）−Ｎ（Ｒ8）−、
　　−Ｃ（Ｒ6）−Ｎ（Ｒ8）−Ｃ（Ｒ6）−、
　　−Ｃ（Ｒ6）−Ｎ（Ｒ8）−Ｓ（Ｏ）2−、および
　　−Ｃ（Ｒ6）−Ｏ−
からなる群から選択され；
　Ｙ’は、
　　−Ｓ（Ｏ）0〜2−、
　　−Ｓ（Ｏ）2−Ｎ（Ｒ8）−、
　　−Ｃ（Ｒ6）−、
　　−Ｃ（Ｒ6）−Ｏ−、
　　−Ｏ−Ｃ（Ｒ6）−、
　　−Ｏ−Ｃ（Ｏ）−Ｏ−、
　　−Ｎ（Ｒ8）−Ｑ−、
　　−Ｃ（Ｒ6）−Ｎ（Ｒ8）−、
　　−Ｏ−Ｃ（Ｒ6）−Ｎ（Ｒ8）−、
　　−Ｃ（Ｒ6）−Ｎ（ＯＲ9）−、
　　−Ｏ−Ｎ（Ｒ8）−Ｑ−、
　　−Ｏ−Ｎ＝Ｃ（Ｒ4）−、
　　−Ｃ（＝Ｎ−Ｏ−Ｒ8）−、
　　−ＣＨ（−Ｎ（−Ｏ−Ｒ8）−Ｑ−Ｒ4）−、
　
からなる群から選択され；
　Ｚ’は結合または−Ｏ−であり；
　Ｒ2は、水素、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリルからなる群から選択され、ここで、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリル基は、非置換であっても、またはアルキル；アルコキシ；アルキルチオ；アルカノイル；アルカノイルオキシ；アルコキシカルボニル；ヒドロキシアルキル；ハロアルキル；ハロアルコキシ；ハロゲン；ニトロ；ヒドロキシ；メルカプト；シアノ；アリール；アリールオキシ；アリールチオ；アリールアルキレンオキシ；ヘテロアリール；ヘテロアリールオキシ；ヘテロアリールアルキレンオキシ；ヘテロシクリル；アミノ；アルキルアミノ；ジアルキルアミノ；（ジアルキルアミノ）アルキレンオキシ；アルキルの場合には、アルケニル、アルキニル、およびヘテロシクリル、オキソ；およびアリールの場合には、メチレンジオキシからなる群から独立して選択される１つ以上の置換基によって置換されてもよく；
　Ｒ4は、水素、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリルからなる群から選択され、ここで、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリル基は、非置換であっても、またはアルキル；アルコキシ；ヒドロキシアルキル；ハロアルキル；ハロアルコキシ；ハロゲン；ニトロ；ヒドロキシ；メルカプト；シアノ；アリール；アリールオキシ；アリールアルキレンオキシ；ヘテロアリール；ヘテロアリールオキシ；ヘテロアリールアルキレンオキシ；ヘテロシクリル；アミノ；アルキルアミノ；ジアルキルアミノ；（ジアルキルアミノ）アルキレンオキシ；およびアルキルの場合には、アルケニル、アルキニル、およびヘテロシクリル、オキソからなる群から独立して選択される１つ以上の置換基によって置換されてもよく；
　Ｒ5は、
からなる群から選択され；
　Ｒ6は、＝Ｏおよび＝Ｓからなる群から選択され；
　Ｒ7はＣ2〜7アルキレンであり；
　Ｒ8は、水素、Ｃ1〜10アルキル、Ｃ2〜10アルケニル、ヒドロキシ−Ｃ1〜10アルキレニル、Ｃ1〜10アルコキシ−Ｃ1〜10アルキレニル、アリール−Ｃ1〜10アルキレニル、およびヘテロアリール−Ｃ1〜10アルキレニルからなる群から選択され；
　Ｒ9は、水素およびアルキルからなる群から選択され；
　Ｒ10はＣ3〜8アルキレンであり；
　Ａは、−ＣＨ2−、−Ｏ−、−Ｃ（Ｏ）−、−Ｓ（Ｏ）0〜2−、および−Ｎ（−Ｑ−Ｒ4）−からなる群から選択され；
　Ａ’は、−Ｏ−、−Ｓ（Ｏ）0〜2−、−Ｎ（−Ｑ−Ｒ4）−、および−ＣＨ2−からなる群から選択され；
　Ｑは、結合、−Ｃ（Ｒ6）−、−Ｃ（Ｒ6）−Ｃ（Ｒ6）−、−Ｓ（Ｏ）2−、−Ｃ（Ｒ6）−Ｎ（Ｒ8）−Ｗ−、−Ｓ（Ｏ）2−Ｎ（Ｒ8）−、−Ｃ（Ｒ6）−Ｏ−、−Ｃ（Ｒ6）−Ｓ−、および−Ｃ（Ｒ6）−Ｎ（ＯＲ9）−からなる群から選択され；
　Ｖは、−Ｃ（Ｒ6）−、−Ｏ−Ｃ（Ｒ6）−、−Ｎ（Ｒ8）−Ｃ（Ｒ6）−、および−Ｓ（Ｏ）2−からなる群から選択され；
　Ｗは、結合、−Ｃ（Ｏ）−、および−Ｓ（Ｏ）2−からなる群から選択され；そして
　ａおよびｂは独立して１〜６の整数であり、ただしａ＋ｂは≦７であり、
　ただし、Ｘ1はまた：
　　Ｙ’がＸ1に結合していると共に、Ｙ’が−Ｃ（Ｒ6）−、−Ｃ（Ｒ6）−Ｏ−、−Ｃ（Ｒ6）−Ｎ（Ｒ8）−、−Ｃ（Ｒ6）−Ｎ（ＯＲ9）−、−Ｃ（＝Ｎ−Ｏ−Ｒ8）−、−ＣＨ（−Ｎ（−Ｏ−Ｒ8）−Ｑ−Ｒ4）−、
　
（式中、Ｖは−Ｃ（Ｒ6）−である）、または
　
であるとき；または
　　Ｒ5がＸ1に結合していると共に、Ｒ5が
　
（式中、Ｖは−Ｃ（Ｒ6）−である）、または
　
であるとき；
結合であることもできる）
で表わされる化合物または医薬として許容されるその塩。
　【請求項２】式ＩＩＩ：
　
（式中、
　Ｘは、結合であり；
　Ｘ’は、メチレンであり；
　Ｚは、−Ｏ−および−Ｎ（−Ｙ−Ｒ2）−からなる群から選択され；
　Ｒ1は、
　　−Ｘ1−Ｙ’−Ｒ4、
　　−Ｘ1−Ｙ’−Ｘ’’−Ｙ’−Ｒ4、および
　　−Ｘ1−Ｒ5　
からなる群から選択され；
　Ｒは、
　　ハロゲン、
　　ヒドロキシ、
　　アルキル、
　　アルケニル、
　　ハロアルキル、
　　アルコキシ、
　　アルキルチオ、および
　　−Ｎ（Ｒ9）2　
からなる群から選択され；
　Ｒ3は、
　　−Ｚ’−Ｒ4、
　　−Ｚ’−Ｘ’’−Ｒ4、
　　−Ｚ’−Ｘ’’−Ｙ’−Ｒ4、
　　−Ｚ’−Ｘ’’−Ｙ’−Ｘ’’−Ｙ’−Ｒ4、および
　　−Ｚ’−Ｘ’’−Ｒ5　
からなる群から選択され；
　ｎは０〜４の整数であり；
　ｍは０または１であり、ただしｍが１であるとき、ｎは０または１であり；
　Ｘ1は、アルキレンおよびアルケニレンからなる群から選択され、ここで、アルキレンおよびアルケニレンは、任意に１つ以上の−Ｏ−基によって分断化されると共に、任意にヒドロキシまたはメトキシ基によって置換されており；
　Ｘ’’は、アルキレン、アルケニレン、アルキニレン、アリーレン、ヘテロアリーレン、およびヘテロシクリレンからなる群から選択され、ここで、アルキレン、アルケニレン、およびアルキニレン基は、任意にアリーレン、ヘテロアリーレンまたはヘテロシクリレンによって分断化または末端封止されてもよく、および任意に１つ以上の−Ｏ−基によって分断化されてもよく；
　Ｙは、
　　結合、
　　−Ｓ（Ｏ）2−、
　　−Ｓ（Ｏ）2−Ｎ（Ｒ8）−、
　　−Ｃ（Ｒ6）−、
　　−Ｃ（Ｒ6）−Ｎ（Ｒ8）−、
　　−Ｃ（Ｒ6）−Ｎ（Ｒ8）−Ｃ（Ｒ6）−、
　　−Ｃ（Ｒ6）−Ｎ（Ｒ8）−Ｓ（Ｏ）2−、および
　　−Ｃ（Ｒ6）−Ｏ−
からなる群から選択され；
　Ｙ’は、
　　−Ｓ（Ｏ）0〜2−、
　　−Ｓ（Ｏ）2−Ｎ（Ｒ8）−、
　　−Ｃ（Ｒ6）−、
　　−Ｃ（Ｒ6）−Ｏ−、
　　−Ｏ−Ｃ（Ｒ6）−、
　　−Ｏ−Ｃ（Ｏ）−Ｏ−、
　　−Ｎ（Ｒ8）−Ｑ−、
　　−Ｃ（Ｒ6）−Ｎ（Ｒ8）−、
　　−Ｏ−Ｃ（Ｒ6）−Ｎ（Ｒ8）−、
　　−Ｃ（Ｒ6）−Ｎ（ＯＲ9）−、
　　−Ｏ−Ｎ（Ｒ8）−Ｑ−、
　　−Ｏ−Ｎ＝Ｃ（Ｒ4）−、
　　−Ｃ（＝Ｎ−Ｏ−Ｒ8）−、
　　−ＣＨ（−Ｎ（−Ｏ−Ｒ8）−Ｑ−Ｒ4）−、
　
からなる群から選択され；
　Ｚ’は結合または−Ｏ−であり；
　Ｒ2は、水素、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリルからなる群から選択され、ここで、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリル基は、非置換であっても、またはアルキル；アルコキシ；アルキルチオ；アルカノイル；アルカノイルオキシ；アルコキシカルボニル；ヒドロキシアルキル；ハロアルキル；ハロアルコキシ；ハロゲン；ニトロ；ヒドロキシ；メルカプト；シアノ；アリール；アリールオキシ；アリールチオ；アリールアルキレンオキシ；ヘテロアリール；ヘテロアリールオキシ；ヘテロアリールアルキレンオキシ；ヘテロシクリル；アミノ；アルキルアミノ；ジアルキルアミノ；（ジアルキルアミノ）アルキレンオキシ；アルキルの場合には、アルケニル、アルキニル、およびヘテロシクリル、オキソ；およびアリールの場合には、メチレンジオキシからなる群から独立して選択される１つ以上の置換基によって置換されてもよく；
　Ｒ4は、水素、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリルからなる群から選択され、ここで、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリル基は、非置換であっても、またはアルキル；アルコキシ；ヒドロキシアルキル；ハロアルキル；ハロアルコキシ；ハロゲン；ニトロ；ヒドロキシ；メルカプト；シアノ；アリール；アリールオキシ；アリールアルキレンオキシ；ヘテロアリール；ヘテロアリールオキシ；ヘテロアリールアルキレンオキシ；ヘテロシクリル；アミノ；アルキルアミノ；ジアルキルアミノ；（ジアルキルアミノ）アルキレンオキシ；およびアルキルの場合には、アルケニル、アルキニル、およびヘテロシクリル、オキソからなる群から独立して選択される１つ以上の置換基によって置換されてもよく；
　Ｒ5は、
からなる群から選択され；
　Ｒ6は、＝Ｏおよび＝Ｓからなる群から選択され；
　Ｒ7はＣ2〜7アルキレンであり；
　Ｒ8は、水素、Ｃ1〜10アルキル、Ｃ2〜10アルケニル、ヒドロキシ−Ｃ1〜10アルキレニル、Ｃ1〜10アルコキシ−Ｃ1〜10アルキレニル、アリール−Ｃ1〜10アルキレニル、およびヘテロアリール−Ｃ1〜10アルキレニルからなる群から選択され；
　Ｒ9は、水素およびアルキルからなる群から選択され；
　Ｒ10はＣ3〜8アルキレンであり；
　Ａは、−ＣＨ2−、−Ｏ−、−Ｃ（Ｏ）−、−Ｓ（Ｏ）0〜2−、および−Ｎ（−Ｑ−Ｒ4）−からなる群から選択され；
　Ａ’は、−Ｏ−、−Ｓ（Ｏ）0〜2−、−Ｎ（−Ｑ−Ｒ4）−、および−ＣＨ2−からなる群から選択され；
　Ｑは、結合、−Ｃ（Ｒ6）−、−Ｃ（Ｒ6）−Ｃ（Ｒ6）−、−Ｓ（Ｏ）2−、−Ｃ（Ｒ6）−Ｎ（Ｒ8）−Ｗ−、−Ｓ（Ｏ）2−Ｎ（Ｒ8）−、−Ｃ（Ｒ6）−Ｏ−、−Ｃ（Ｒ6）−Ｓ−、および−Ｃ（Ｒ6）−Ｎ（ＯＲ9）−からなる群から選択され；
　Ｖは、−Ｃ（Ｒ6）−、−Ｏ−Ｃ（Ｒ6）−、−Ｎ（Ｒ8）−Ｃ（Ｒ6）−、および−Ｓ（Ｏ）2−からなる群から選択され；
　Ｗは、結合、−Ｃ（Ｏ）−、および−Ｓ（Ｏ）2−からなる群から選択され；そして
　ａおよびｂは独立して１〜６の整数であり、ただしａ＋ｂは≦７であり、
　ただし、Ｘ1はまた：
　　Ｙ’がＸ1に結合していると共に、Ｙ’が−Ｃ（Ｒ6）−、−Ｃ（Ｒ6）−Ｏ−、−Ｃ（Ｒ6）−Ｎ（Ｒ8）−、−Ｃ（Ｒ6）−Ｎ（ＯＲ9）−、−Ｃ（＝Ｎ−Ｏ−Ｒ8）−、−ＣＨ（−Ｎ（−Ｏ−Ｒ8）−Ｑ−Ｒ4）−、
　
（式中、Ｖは−Ｃ（Ｒ6）−である）、または
　
であるとき；または
　　Ｒ5がＸ1に結合していると共に、Ｒ5が
　
（式中、Ｖは−Ｃ（Ｒ6）−である）、または
　
であるとき；
結合であることもできる）
で表わされる化合物または医薬として許容されるその塩。
　【請求項３】Ｘ1は、アルキレンおよびアルケニレンからなる群から選択され、ここで、アルキレンおよびアルケニレンは、任意に１つ以上の−Ｏ−基によって分断化されている、請求項１又は２に記載の化合物または塩。
　【請求項４】ｎは０であり、又はｎおよびｍは０である、請求項２に記載の化合物または塩。
　【請求項５】Ｒ3はベンジルオキシであり、又はＲはハロゲンまたはヒドロキシである、請求項１〜３のいずれか一項に記載の化合物または塩。
　【請求項６】Ｚは−Ｏ−である、請求項１〜５のいずれか一項に記載の化合物または塩。
　【請求項７】Ｒ1は−Ｘ1−Ｙ’−Ｒ4又は−Ｘ1−Ｒ5である、請求項１〜６のいずれか一項に記載の化合物または塩。
　【請求項８】Ｘ1はＣ1〜4アルキレンである、請求項１〜７のいずれか一項に記載の化合物または塩。
　【請求項９】Ｙ’は、−Ｓ−、−Ｓ（Ｏ）2−、またはＮ（Ｒ8）−Ｑ−であり、ここで、Ｑは、結合、−Ｓ（Ｏ）2−、−Ｃ（Ｏ）−、−Ｃ（Ｏ）−Ｏ−、−Ｃ（Ｏ）−Ｎ（Ｒ8）−、−Ｃ（Ｓ）−Ｎ（Ｒ8）−、または−Ｓ（Ｏ）2−Ｎ（Ｒ8）−であり；各Ｒ8は、水素、Ｃ1〜4アルキル、ヒドロキシＣ1〜4アルキル、およびＣ1〜4アルコキシＣ1〜4アルキルからなる群から独立して選択され；Ｒ4は、水素、アルキル、アリール、アリールアルキレニル、ヘテロアリール、またはヘテロシクリルであり、ここで、アルキル、アリール、アリールアルキレニル、ヘテロアリール、およびヘテロシクリルは、非置換であるか、またはヒドロキシ、ハロゲン、アルコキシ、アルキル、ハロアルキル、およびジアルキルアミノからなる群から独立して選択される１つ以上の置換基によって置換され；およびＲ5は、
　
である、請求項７に記載の化合物または塩。」
（以下、請求項１〜９に係る発明をそれぞれ「同日発明１」〜「同日発明９」という。）
　
２　対比・判断
　
（１）本願発明１について
　
　ア　本願発明１と同日発明１とを対比すると、本願発明１における式ＩＩａは
　
であり、同日発明１における式ＩＩａは
　
であって、両者は、基本骨格と、その骨格上の部分構造又は置換基を表す符号のうちＸ、Ｚ、Ｘ’、ＲA1およびＲB1が共通である式を用いて特定される化合物の発明である点において一致する。ただし、それらの意味する内容は異なる。
　また、本願発明１の置換基−Ｘ1−Ｒ1に対応する同日発明１の置換基はＲ1であるが、同日発明１におけるＲ1は「−Ｘ1−Ｙ’−Ｒ4、−Ｘ1−Ｙ’−Ｘ’’−Ｙ’−Ｒ4、および−Ｘ1−Ｒ5からなる群から選択され」るものであるので、本願発明１における「−Ｘ1−Ｒ1」と同日発明１における「−Ｘ1−Ｙ’−Ｒ4」、「−Ｘ1−Ｙ’−Ｘ’’−Ｙ’−Ｒ4」及び「−Ｘ1−Ｒ5」が対応し、これらをひとまとめに「−Ｘ1−Ｅ」と表記することが可能である。ただし、この「Ｅ」は、本願発明１においては「Ｒ1」、同日発明１においては同日発明１の「−Ｙ’−Ｒ4」、「−Ｙ’−Ｘ’’−Ｙ’−Ｒ4」及び「Ｒ5」の意味である。
　したがって、本願発明１と同日発明１とは、
　「式ＩＩａ：
　
で表わされる化合物または医薬として許容されるその塩」
である点で一致し、以下の点で相違する。
（相違点１）
　式ＩＩａにおける部分構造又は置換基のとり得る範囲が、以下のとおり相違する点：
　(i)Ｘは、本願発明１においては「Ｘは、結合または直鎖もしくは分岐鎖Ｃ1-8アルキレンであり、任意にヘテロ原子に隣接する炭素原子以外の炭素原子に置換基を有し、ここで、置換基が、ヒドロキシ、アルコキシ、または１つ以上のハロゲン原子であり」と特定されるのに対し、同日発明１においては「Ｘは、結合」であり、
　(ii)Ｘ’は、本願発明１においては「Ｘ’は、直鎖または分岐鎖Ｃ1-8アルキレンであり、任意にヘテロ原子に隣接する炭素原子以外の炭素原子に置換基を有し、ここで、置換基がヒドロキシ、アルコキシ、または１つ以上のハロゲン原子であり」と特定されるのに対し、同日発明１においては「Ｘ’は、メチレン」であり、
　(iii)Ｚは、本願発明１においては「Ｚは、−Ｏ−および−Ｎ（−Ｙ−Ｒ2）−からなる群から選択され」と特定され、そのＹは
　「Ｙは、
　　結合、
　　−Ｓ（Ｏ）2−、
　　−Ｓ（Ｏ）2−Ｎ（Ｒ8）−、
　　−Ｃ（Ｒ6）−、
　　−Ｃ（Ｒ6）−Ｎ（Ｒ8）−、
　　−Ｃ（Ｒ6）−Ｎ（Ｒ8）−Ｃ（Ｒ6）−、
　　−Ｃ（Ｒ6）−Ｎ（Ｒ8）−Ｓ（Ｏ）2−、および
　　−Ｃ（Ｒ6）−Ｏ−
からなる群から選択され」と特定され、そのＲ2は
　「Ｒ2は、水素、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリルからなる群から選択され、ここで、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリル基は、非置換であっても、またはアルキル；アルコキシ；アルキルチオ；アルカノイル；アルカノイルオキシ；アルコキシカルボニル；ヒドロキシアルキル；ハロアルキル；ハロアルコキシ；ハロゲン；ニトロ；ヒドロキシ；メルカプト；シアノ；アリール；アリールオキシ；アリールチオ；アリールアルキレンオキシ；ヘテロアリール；ヘテロアリールオキシ；ヘテロアリールアルキレンオキシ；ヘテロシクリル；アミノ；アルキルアミノ；ジアルキルアミノ；（ジアルキルアミノ）アルキレンオキシ；アルキルの場合には、アルケニル、アルキニル、およびヘテロシクリル、オキソ；およびアリールの場合には、メチレンジオキシからなる群から独立して選択される１つ以上の置換基によって置換されてもよく」
と特定され、Ｙの定義中のＲ6は
　「Ｒ6は、＝Ｏおよび＝Ｓからなる群から選択され」
と特定され、Ｙの定義中のＲ8は
　「Ｒ8は、水素、Ｃ1-10アルキル、Ｃ2-10アルケニル
、
ルか
と特定されるのに対し、同日発明１においては「Ｚは、−Ｏ−および−Ｎ（−Ｙ−Ｒ2）−からなる群から選択され」と同じ文言であり、そのＹとＲ2も同じ文言であり、Ｙの定義中のＲ6も同じ文言であるものの、Ｙの定義中のＲ8は
　「Ｒ8は、水素、Ｃ1〜10アルキル、Ｃ2〜10アルケニル、ヒドロキシ−Ｃ1〜10アルキレニル、Ｃ1〜10アルコキシ−Ｃ1〜10アルキレニル、アリール−Ｃ1〜10アルキレニル、およびヘテロアリール−Ｃ1〜10アルキレニルからなる群から選択され」
であり、
　(iv)ＲA1及びＲB1 は、本願発明１においては
　「各々、アルキルであり、
　または、合一したとき、ＲA1およびＲB1は、１つのＮ原子を含有する縮合６員ヘテロアリール環または縮合６員アリール環を形成し、ここで、アリールまたはヘテロアリール環は、非置換であるか、または１つ以上のＲ基で、１つのＲ3基で、あるいは１つのＲ3基および１つのＲ基によって置換されており、
　または、合一したとき、ＲA1およびＲB1は、任意に１つのＮ原子を含有すると共に、非置換であるか、または１つ以上のＲ基によって置換されている縮合６員飽和環を形成し」
と特定され、そのＲ3は
　「Ｒ3は、
　　−Ｙ’’−Ｒ4、
　　−Ｚ’−Ｒ4、
　　−Ｚ’−Ｘ’’−Ｒ4、
　　−Ｚ’−Ｘ’’−Ｙ’−Ｒ4、
　　−Ｚ’−Ｘ’’−Ｙ’−Ｘ’’−Ｙ’−Ｒ4、および
　　−Ｚ’−Ｘ’’−Ｒ5　
からなる群から選択され」
と特定され、そのＲは
　「Ｒは、
　　ハロゲン、
　　ヒドロキシ、
　　アルキル、
　　アルケニル、
　　ハロアルキル、
　　アルコキシ、
　　アルキルチオ、および
　　−Ｎ（Ｒ9）2　
からなる群から選択され」
と特定され、Ｒ3の定義中のＹ’は
　「Ｙ’は、
　　−Ｓ（Ｏ）0-2−、
　　−Ｓ（Ｏ）2−Ｎ（Ｒ8）−、
　　−Ｃ（Ｒ6）−、
　　−Ｃ（Ｒ6）−Ｏ−、
　　−Ｏ−Ｃ（Ｒ6）−、
　　−Ｏ−Ｃ（Ｏ）−Ｏ−、
　　−Ｎ（Ｒ8）−Ｑ−、
　　−Ｃ（Ｒ6）−Ｎ（Ｒ8）−、
　　−Ｏ−Ｃ（Ｒ6）−Ｎ（Ｒ8）−、
　　−Ｃ（Ｒ6）−Ｎ（ＯＲ9）−、
　
からなる群から選択され」
と特定され、Ｒ3の定義中のＲ5は
　「Ｒ5は、
からなる群から選択され」
と特定されるのに対し、同日発明１においては
　「ＲA1およびＲB1は、一緒になって、縮合アリール環を形成し、ここで、アリール環は、非置換であるか、または１つ以上のＲ基で、１つのＲ3基で、あるいは１つのＲ3基および１つのＲ基によって置換されており、
　または、ＲA1およびＲB1は、一緒になって、非置換であるか、または１つ以上のＲ基によって置換されている縮合６員飽和環を形成し」
で、そのＲ3は
　「Ｒ3は、
　　−Ｚ’−Ｒ4、
　　−Ｚ’−Ｘ’’−Ｒ4、　　−Ｚ’−Ｘ’’−Ｙ’−Ｒ4、
　　−Ｚ’−Ｘ’’−Ｙ’−Ｘ’’−Ｙ’−Ｒ4、および
　　−Ｚ’−Ｘ’’−Ｒ5　
からなる群から選択され」
で、そのＲはＲ9も含めて同じ文言で、Ｒ3の定義中のＹ’は
　「Ｙ’は、
　　−Ｓ（Ｏ）0〜2−、
　　−Ｓ（Ｏ）2−Ｎ（Ｒ8）−、
　　−Ｃ（Ｒ6）−、
　　−Ｃ（Ｒ6）−Ｏ−、
　　−Ｏ−Ｃ（Ｒ6）−、
　　−Ｏ−Ｃ（Ｏ）−Ｏ−、
　　−Ｎ（Ｒ8）−Ｑ−、
　　−Ｃ（Ｒ6）−Ｎ（Ｒ8）−、
　　−Ｏ−Ｃ（Ｒ6）−Ｎ（Ｒ8）−、
　　−Ｃ（Ｒ6）−Ｎ（ＯＲ9）−、
　　−Ｏ−Ｎ（Ｒ8）−Ｑ−、
　　−Ｏ−Ｎ＝Ｃ（Ｒ4）−、
　　−Ｃ（＝Ｎ−Ｏ−Ｒ8）−、
　　−ＣＨ（−Ｎ（−Ｏ−Ｒ8）−Ｑ−Ｒ4）−、
　
からなる群から選択され」
で、Ｒ3の定義中のＲ5は
　「Ｒ5は、
からなる群から選択され」
であり、
　(v)−Ｘ1−Ｅは、本願発明１においては「−Ｘ1−Ｒ1」であり、これは
　「Ｘ1は、結合、アルキレン、アルケニレン、およびアルキニレンからなる群から選択され、ここで、アルキレンおよびアルケニレンは、任意に１つ以上の−Ｏ−基によって分断化され、および任意にヒドロキシまたはメトキシ基によって置換されており；
　Ｒ1は、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリルからなる群から選択され、ここで、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリル基は、非置換であってもまたは、アルキル；アルコキシ；ヒドロキシアルキル；ハロアルキル；ハロアルコキシ；ハロゲン；ニトロ；ヒドロキシ；シアノ；アリール；アリールオキシ；アリールアルキレンオキシ；ヘテロアリール；ヘテロアリールオキシ；ヘテロアリールアルキレンオキシ；ヘテロシクリル；およびヘテロシクリルの場合にはオキソ；からなる群から独立して選択される１つ以上の置換基によって置換されてもよく、ただし、Ｒ1がアリール、アリールアルキレニル、ヘテロアリール、またはヘテロアリールアルキレニルであるとき、１つ以上の置換基はまた、アリールアルキレニル、アルキルアリールエニル、アルコキシアリールエニル、ハロアリールエニル、アルキルスルホニルアミノ、アリールスルホニルアミノ、アルキルカルボニルアミノ、アリールカルボニルアミノ、アルキルアミノカルボニルアミノ、アリールアミノカルボニルアミノ、ヘテロアリールスルホニルアミノ、ヘテロアリールカルボニルアミノ、ヘテロアリールアミノカルボニルアミノ、アルコキシカルボニルアミノ、およびアリールオキシカルボニルアミノからなる群から独立して選択されてもよく；およびさらに、ただし、Ｒ1がヘテロシクリルであるとき、１つ以上の置換基はまた、アリールアルキレニル、およびアミノカルボニルからなる群から独立して選択されてもよく」
と特定されるのに対し、同日発明１においては「−Ｘ1−Ｙ’−Ｒ4」、「−Ｘ1−Ｙ’−Ｘ’’−Ｙ’−Ｒ4」及び「−Ｘ1−Ｒ5」が対応し、これは
　「Ｘ1は、アルキレンおよびアルケニレンからなる群から選択され、ここで、アルキレンおよびアルケニレンは、任意に１つ以上の−Ｏ−基によって分断化されると共に、任意にヒドロキシまたはメトキシ基によって置換されており」、
　「Ｙ’は、
　　−Ｓ（Ｏ）0〜2−、
　　−Ｓ（Ｏ）2−Ｎ（Ｒ8）−、
　　−Ｃ（Ｒ6）−、
　　−Ｃ（Ｒ6）−Ｏ−、
　　−Ｏ−Ｃ（Ｒ6）−、
　　−Ｏ−Ｃ（Ｏ）−Ｏ−、
　　−Ｎ（Ｒ8）−Ｑ−、
　　−Ｃ（Ｒ6）−Ｎ（Ｒ8）−、
　　−Ｏ−Ｃ（Ｒ6）−Ｎ（Ｒ8）−、
　　−Ｃ（Ｒ6）−Ｎ（ＯＲ9）−、
　　−Ｏ−Ｎ（Ｒ8）−Ｑ−、
　　−Ｏ−Ｎ＝Ｃ（Ｒ4）−、
　　−Ｃ（＝Ｎ−Ｏ−Ｒ8）−、
　　−ＣＨ（−Ｎ（−Ｏ−Ｒ8）−Ｑ−Ｒ4）−、
　
からなる群から選択され」、
　「Ｒ4は、水素、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリルからなる群から選択され、ここで、アルキル、アルケニル、アルキニル、アリール、アリールアルキレニル、アリールオキシアルキレニル、アルキルアリールエニル、ヘテロアリール、ヘテロアリールアルキレニル、ヘテロアリールオキシアルキレニル、アルキルへテロアリールエニル、およびヘテロシクリル基は、非置換であっても、またはアルキル；アルコキシ；ヒドロキシアルキル；ハロアルキル；ハロアルコキシ；ハロゲン；ニトロ；ヒドロキシ；メルカプト；シアノ；アリール；アリールオキシ；アリールアルキレンオキシ；ヘテロアリール；ヘテロアリールオキシ；ヘテロアリールアルキレンオキシ；ヘテロシクリル；アミノ；アルキルアミノ；ジアルキルアミノ；（ジアルキルアミノ）アルキレンオキシ；およびアルキルの場合には、アルケニル、アルキニル、およびヘテロシクリル、オキソからなる群から独立して選択される１つ以上の置換基によって置換されてもよく」、
　「Ｘ’’は、アルキレン、アルケニレン、アルキニレン、アリーレン、ヘテロアリーレン、およびヘテロシクリレンからなる群から選択され、ここで、アルキレン、アルケニレン、およびアルキニレン基は、任意にアリーレン、ヘテロアリーレンまたはヘテロシクリレンによって分断化または末端封止されてもよく、および任意に１つ以上の−Ｏ−基によって分断化されてもよく」、
　「Ｒ5は、
からなる群から選択され」
で定義されるものである。
　
　イ　上記アによれば、本願発明１と同日発明１とでは、発明特定事項に相違点１があり、両者が実質的に同一であるといえる事情もないから、本願発明１と同日発明１とが同一であるとはいえない。
　
　ウ　本願発明１と同日発明２〜９とを対比した場合も、同様に、本願発明１と同日発明２〜９の何れかが同一であるとはいえない。
　
（２）本願発明２について
　本願発明２と同日発明２とを対比すると、上記第（１）と同様にして、本願発明２と同日発明２とは、
　「式ＩＩＩ：
　
で表わされる化合物または医薬として許容されるその塩」
である点で一致し、以下の点で相違する。
（相違点２）
　式ＩＩＩにおける部分構造又は置換基のとり得る範囲が、以下のとおり相違する点：
　(i)’Ｘについて、相違点１と同じ、
　(ii)’Ｘ’について、相違点１と同じ、
　(iii)’Ｚについて、相違点１と同じ、
　(v)’−Ｘ1−Ｅについて、相違点１と同じである。
　
　イ　上記アによれば、本願発明２と同日発明２とでは、発明特定事項に相違点２があり、両者が実質的に同一であるといえる事情もないから、本願発明２と同日発明２とが同一であるとはいえない。
　
　ウ　本願発明２と同日発明１、３〜９とを対比した場合も、同様に、本願発明２と同日発明１、３〜９の何れかが同一であるとはいえない。
　
（３）本願発明３〜１０について
　本願発明３〜１０について、同様に対比すると、本願発明３〜１０の何れも、本願発明１〜１０の何れとも、同一であるとはいえない。
　
第５　むすび
　以上のとおり、本願発明１〜１０は、同一出願人が同日出願した出願に係る発明と同一であるとすることができないものであるから、原査定の理由によっては、この出願を拒絶することはできない。
　また、他にこの出願を拒絶すべき理由を発見しない。
　よって、結論のとおり審決する。